【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
血圧データを測定する測定装置と、挿入可能な制御ＩＣカードの読み取りが可能なＩＣカード読取部を備える制御装置とを備え、
前記ＩＣカード読取部で読み取られたデータにより、制御装置の少なくとも一つの制御機能を実行することを特徴とする血圧計。
【請求項２】
前記少なくとも一つの制御機能を実行できる制御過程を前記制御装置に備えることを特徴とする、請求項１記載の血圧計。
【請求項３】
前記少なくとも一つの制御機能を実行できる制御過程を前記ＩＣカードに備え、
前記制御装置は、前記ＩＣカードに記憶された前記制御過程にアクセスできることを特徴とする、請求項１に記載の血圧計。
【請求項４】
前記少なくとも一つの制御機能は、アラームを起動する機能を有することを特徴とする、請求項１に記載の血圧計。
【請求項５】
前記少なくとも一つの制御機能は、位置測定装置を評価する機能を有することを特徴とする、請求項１に記載の血圧計。
【請求項６】
前記少なくとも一つの制御機能は、動作検出装置を評価する機能を有することを特徴とする、請求項１に記載の血圧計。
【請求項７】
前記少なくとも一つの制御機能は、測定された血圧データを評価する機能とともに、前記血圧計の表示部を制御する機能を有することを特徴とする、請求項１に記載の血圧計。
【請求項８】
前記ＩＣカード読取部は、前記制御装置から前記ＩＣカードにデータを書き込むことのできる読取／書込装置を備えることを特徴とする、請求項１に記載の血圧計。
【請求項９】
前記制御装置は、血圧データを前記ＩＣカードに記憶できることを特徴とする、請求項１に記載の血圧計。
【請求項１０】
ＩＳＯ／ＩＥＣ７８１６及び／又はＩＳＯ７８１０に従い標準化されたＩＣカードを収納できるＩＣカード格納装置をさらに備えること特徴とする、請求項１に記載の血圧計。
【請求項１１】
前記読取／書込装置は、ＩＳＯ／ＩＥＣ７８１６及び／又はＩＳＯ７８１０のＩＣカードのメモリタグに、血圧データを書き込むことができることを特徴とする、請求項８に記載の血圧計。
【請求項１２】
制御データが血圧計の読取部に読み取られた場合に、血圧計の制御機能を実行することのできる制御データを備えることを特徴とする、血圧計のＩＣカード。
【請求項１３】
前記ＩＣカードは、ＩＳＯ／ＩＥＣ７８１６及びＩＳＯ７８１０のうち、少なくとも一つに従って構成されることを特徴とする、請求項１２に記載のＩＣカード。
【請求項１４】
前記血圧計のアラームを起動することのできる制御過程をさらに備えることを特徴とする、請求項１２に記載のＩＣカード。
【請求項１５】
位置測定装置及び動作検出装置のうち、少なくとも一つを評価することのできる制御過程をさらに備えることを特徴とする、請求項１２に記載のＩＣカード。
【請求項１６】
血圧データを評価するとともに、血圧の評価に関する情報を表示する前記血圧計の表示部を制御することのできる制御過程をさらに備えることを特徴とする、請求項１２に記載のＩＣカード。
【請求項１７】
血圧データを記憶することのできる記憶領域をさらに備えることを特徴とする、請求項１２に記載のＩＣカード。
【請求項１８】
前記ＩＣカードをさらに備えることを特徴とする、請求項１に記載の血圧計。
【手続補正２】
【補正対象書類名】明細書
【補正対象項目名】０００１
【補正方法】変更
【補正の内容】
【０００１】
本発明は、血圧データを測定する測定装置と、測定装置を制御し、及び／又は、血圧データを評価し、処理し、又は表示する制御装置とを備える血圧計に関する。また、本発明は、このような血圧計に使用されるＩＣカードに関する。
【手続補正３】
【補正対象書類名】明細書
【補正対象項目名】０００２
【補正方法】変更
【補正の内容】
【０００２】
血圧計により測定された血圧データは、通常揮発性の記憶装置に随時記憶される。複数人に使用される場合、データの一部が記憶装置へ移行される。血圧データととともに日付および時間も記憶されるので、時間は日々の結果に関連付けされてもよい。しかし、従来の血圧計では、血圧計からこのデータを読み出し、意味のある表現として明確に視覚化するのは非常に困難である。
パーソナルコンピュータにデータを転送できるようにするために、接続部を備える血圧計もある。ただし、一方で、読み取られた形式で血圧データを更に処理できるようにするためには、適切なコンピュータプログラムが必要となるため、可能性は限られている。一方で、血圧計の接続部を介してデータを読み取ることができるようにするためには、適切なハードウェアが必要となる。
【手続補正４】
【補正対象書類名】明細書
【補正対象項目名】０００３
【補正方法】変更
【補正の内容】
【０００３】
膨大な量の血圧データを記憶できるようにするために、集積回路という形態での交換可能な記憶カードの装置における利用法が、米国特許番号６，５０６，１６２  Ｂ１に開示されている。このシステムでは、交換可能な記憶カードに膨大な量のデータを記憶することができる。さらに、記憶された血圧データの医師による評価のため、記憶カードが血圧計から取り外され、病院または診療所に持ち込まれ、そこの血圧計に挿入されると、記憶されたデータをそこの血圧計を用いて見ることができる。
【手続補正５】
【補正対象書類名】明細書
【補正対象項目名】０００４
【補正方法】変更
【補正の内容】
【０００４】
しかし、これは、病院側に互換性を持つ血圧計があることを必要とするが、実情はしばしばそうではない。なぜなら、家庭用装置は病院に存在するそれらとは通常異なって構成されるからである。
さらに、血圧計が交換可能な記憶カードを備えていたとしても、従来の血圧計の機能を適応させるのは、しばしば困難である。
必要とされうるすべての機能を、一つの血圧計に備えることは、基本的には可能であるが、それは一般ユーザのための血圧計に負担をかけ過ぎるとともに、特に高齢の患者にとって血圧計の操作性を不必要に困難にする。さらに、必要以上の機能が血圧計に備えられた場合、装置が非常に高価になることは明らかである。
【手続補正６】
【補正対象書類名】明細書
【補正対象項目名】０００５
【補正方法】変更
【補正の内容】
【０００５】
そこで、本発明は、従来技術の課題を解消し、改良した血圧計およびＩＣカードを提供する。特に、血圧計の適用範囲の多様性が獲得され、及び／又はデータ処理の簡易化が達成される。
【手続補正７】
【補正対象書類名】明細書
【補正対象項目名】０００６
【補正方法】変更
【補正の内容】
【０００６】
本発明は、血圧計およびそのためのＩＣカードを備える。血圧計は、血圧データを測定するための測定装置と制御装置とを備える。制御装置は、挿入可能な制御ＩＣカードを読み取ることのできるＩＣカード読取部を有する。ＩＣカードは、ＩＣカード読取部によって読み取られるデータを備える。血圧計の制御機能はＩＣカード読取部によってデータが読み取られることにより実行される。
【手続補正８】
【補正対象書類名】明細書
【補正対象項目名】０００７
【補正方法】変更
【補正の内容】
【０００７】
本発明は、ＩＣカードを挿入することによって、血圧計の制御機能を拡張する。ここで、ＩＣカードは、記憶容量を拡大するだけではなく、血圧計自体の制御を行うために用いられている。
本発明によれば、制御装置は、血圧計に挿入される制御ＩＣカードの読み取りを行うＩＣカード読取部を備える。制御装置は、ＩＣカード読取部で読み取られたデータによってのみ、装置の動作に影響を与える少なくとも一つの制御装置の制御機能が有効され、始動され、及び／又は実行されるように構成されている。特に、適切なＩＣカードを挿入することにより、血圧計の性能を高めることができ、すなわち、それに従い装置の性能の範囲も拡張される。これにより、基本装置を比較的簡素に保つことができる。適切なカード機能を購入することで、追加的な機能を有する高性能機器へと高めることができる。
【手続補正９】
【補正対象書類名】明細書
【補正対象項目名】０００８
【補正方法】変更
【補正の内容】
【０００８】
本発明の更なる発展としては、追加的な制御機能を実行する適切な制御過程は、装置に存在する制御装置に予め備えられていてもよい。使用されているＩＣカードは、対応する制御データ、特に装置の制御装置に存在する制御機能を起動し、または、有効にするコードを単に読み取る。
【手続補正１０】
【補正対象書類名】明細書
【補正対象項目名】０００９
【補正方法】変更
【補正の内容】
【０００９】
あるいは／さらに、追加的な制御機能を実行するための制御過程がＩＣカードに備えられ、装置の制御装置は、制御過程が各々の制御機能を実行する場合に、ＩＣカードに記憶される制御過程にアクセスするようにしてもよい。すなわち、ＩＣカードは、ここで制御装置の一部となっている。
【手続補正１１】
【補正対象書類名】明細書
【補正対象項目名】００１０
【補正方法】変更
【補正の内容】
【００１０】
つまり、これにより、全く異なる制御機能を血圧計に実装し、または、後から追加することができる。血圧計に係る一の実施の形態によれば、このような制御ＩＣカードにより血圧計のアラーム機能を実現してもよい。例えば、血圧計に配置されるアラーム装置は、医師によってプログラムされた時間に起動し、次の測定の時間が来たことを音または振動で患者に伝えるようにしてもよい。あるいは／さらに、制御装置が許容範囲を超えた値を検出した場合にアラーム装置を起動するアラーム制御過程を、ＩＣカードによって備えてもよい。
【手続補正１２】
【補正対象書類名】明細書
【補正対象項目名】００１９
【補正方法】変更
【補正の内容】
【００１９】
これらの、また更なる特有な構成を、図面を参照して、詳細に説明する。
図１は、本発明の好適な形態に係る、手首式血圧計の概略斜視図を示す。
【手続補正１３】
【補正対象書類名】明細書
【補正対象項目名】００２０
【補正方法】変更
【補正の内容】
【００２０】
図１に示す血圧計はスリーブ１を備え、スリーブ１は患者の手首付近に取り付けられ、例えば面ファスナー締め付け機構２により固定される。スリーブ１は、流動体で満たされ、逆にまた空にされ、その結果、希望された方法で圧力を上げ、また下げることができる。
このため、ポンプ４は、スリーブ１の上面に固定される機器筐体３に配置される。ポンプ４は電力源５より供給され、電力源５は、例えば電池または蓄電池の形態として、機器筐体３の適切な電池または蓄電池室に配置される。ポンプ４は、同じく機器筐体３に配置される制御装置６により制御されるので、制御装置により指示される工程に従いスリーブ１を膨らませ、そしてまた萎ませることができる。
【手続補正１４】
【補正対象書類名】明細書
【補正対象項目名】００２１
【補正方法】変更
【補正の内容】
【００２１】
さらに、血圧計は、測定の過程でスリーブにおける圧力を検出し、圧力信号を発信する圧力センサ７を備え、そして、その圧力信号が制御装置６で評価される。さらに、位置、動作、及び／又は加速度センサ８は、機器筐体３に配置される。制御装置６は、センサ８からの信号により、血圧計が心臓部の基準位置に十分に近く置かれたか否か、および血圧計が十分に安定して配置されているか否かを認識することができる。
【手続補正１５】
【補正対象書類名】明細書
【補正対象項目名】００２３
【補正方法】変更
【補正の内容】
【００２３】
さらに、機器筐体３は、ＩＣカード１２が挿入される接続部１１を備え、これにより、血圧計の制御機能が拡張されるととともに、血圧データを記憶するための追加的な記憶領域が確保される。
図示された実施の形態では、ＩＣカード１２のための挿入口１３が、筐体３に設けられている。しかし、図示とは異なる本実施の形態によれば、格納扉または蓋を更に設けるようにしてもよく、その平面側にＩＣカード１２が挿入されるようにしてもよい。どのような場合でも、ＩＣカード格納装置１４は、ＩＳＯ／ＩＥＣ７８１６またはＩＳＯ７８１０の標準ＩＣカードが正しく挿入されるよう構成されている。
一方、挿入口１３の内部には、制御装置６に接続されるＩＣカード書込および読取装置１５が配置されるので、血圧計からＩＣカード１２へデータを送信し、逆にＩＣカード１２に記憶された情報を血圧計に読み出すことができる。
【手続補正１６】
【補正対象書類名】明細書
【補正対象項目名】００２５
【補正方法】変更
【補正の内容】
【００２５】
一方、ＩＣカード１２は記憶装置を構成し、血圧計で取得される血圧データを記憶する。さらに、ＩＣカード１２は、血圧計の制御装置の一部も構成している。特に、制御過程はＩＣカード１２に記憶され、ＩＣカードが挿入された場合に読み取られ、そして、制御装置６の制御機能を有効にし、及び／又は実行し、及び／又は実現する。あるいは／さらに、機器筐体３の制御装置６と相互作用して、これらを追加的な制御機能に適応させる制御アルゴリズムもＩＣカード１２に記憶されるようにしてもよい。つまり、制御機能もＩＣカード１２で処理されてもよい。
【手続補正１７】
【補正対象書類名】明細書
【補正対象項目名】００２７
【補正方法】変更
【補正の内容】
【００２７】
血圧計のデータ管理は、ＩＣカード１２によって、大幅に改善することができる。ＩＣカードが挿入された場合、以前のデータ一覧は、追加されたプログラムおよび現在の記憶データによって確認される。その後、血圧計の固定記憶領域に保存されているデータを削除することができる。ＩＣカード１２の記憶容量が満杯になり次第、しかるべきメッセージが血圧計に表示される。
【手続補正１８】
【補正対象書類名】明細書
【補正対象項目名】００２８
【補正方法】変更
【補正の内容】
【００２８】
診療所でＩＣカード１２に記憶された血圧データを簡単に転送するために、血圧計の読取／書込装置１５は、診療所にあるヘルスカード読取機で読み取ることのできる患者のデータのための記憶領域に対して該当データが書き込まれるよう構成されてもよい。この方法により、ヘルスカード読取機に接続される診療所のコンピュータの読取用テンプレートは、意図しない方法で使用することができる。さらに、ＩＣカード１２が、健康保険カード読取機内のＩＣカードを健康保険カードと認識するＲＯＭコードを好適に備えてもよい。
【手続補正１９】
【補正対象書類名】明細書
【補正対象項目名】００２９
【補正方法】変更
【補正の内容】
【００２９】
また、ＩＣカードによって、血圧計の機器の特性を好適にプログラムできるようにしてもよい。例えば、ＲＡＭを随意に備えることができる特別なＩＣカード１２により、制御ボタン１０による煩わしい入力を省略できるよう、制御装置６の制御機能を再コード化することができる。さらに、アラーム機能、血圧データの拡張された評価および表示、位置の検出および計算、血圧測定中の不自然な結果のシステム監視、及び／又は他のデータの評価システムも、前述した方法で追加することができる。